(57)【要約】      （修正有）【課題】繋ぎ目に隙間が生じないようにして導水路の切断を回避しその繋ぎ目から導水路を流れる水が溢れるといった事故を防ぐようにした土木用の暗渠排水処理材を提供する。【解決手段】帯状に形成され一定の長さを有する処理材本体１の長手方向における少なくともいずれか一方の端部とその端部に突き合う隣接する処理材本体Ａ１の端部に、これら処理材本体Ａ，Ａ１を繋ぎ目に隙間が生じないように連接するため互いに係合する係合部１８と被係合部１９を設けた構成からなる。【選択図】図１
2011012393.tif 000002
【特許請求の範囲】
【請求項１】
帯状に形成され一定の長さを有する処理材本体の長手方向における少なくともいずれか一方の端部とその端部に突き合う隣接する処理材本体の端部に、これら処理材本体を繋ぎ目に隙間が生じないように連接するため互いに係合する係合部と被係合部を設けたことを特徴とする土木用の暗渠排水処理材。
【請求項２】
前記係合部は伸縮する環状の弾性部材でありかつ前記被係合部は該環状の弾性部材が係合する掛止突起である請求項１記載の土木用の暗渠排水処理材。
【発明の詳細な説明】
【技術分野】
【０００１】
本発明は、トンネルの内周壁、盛土、コンクリート製の擁壁裏側などの土中に埋設され導水路として使用される土木用の暗渠排水処理材に関するものである。
【背景技術】
【０００２】
従来、例えばトンネルの掘削や盛土、コンクリート製の擁壁の構築といった土木工事にあっては、湧水や浸透水などの不要な地下水が発生することが多く、これら湧水や浸透水が溜まると、トンネルでは内周壁に形成したコンクリート壁の崩落が起きる危険性が有り、また、盛土内や擁壁の裏側ではそれらが崩れる恐れがある。そこで、これら問題を解決すべく湧水や浸透水などの地下水を通水させて排出するために、本出願人が先に出願したような導水路としての土木用の暗渠排水処理材（特許文献１参照。）が使用されている。該暗渠排水処理材は、主に硬質合成樹脂製の多数本のモノフィラメントをランダムなループ状に堆積して形成されるモノフィラメント積層体に樹脂製のシート本体を重ねて構成されている。該暗渠排水処理材は通常４〜１２ｍの長さ寸法の間で適宜選択して決められ、現場では必要に応じ長手方向に沿って一列になるように複数個を継ぎ足して使用している。
【０００３】
そこで、例えばトンネルを構築する場合、トンネルの内周壁面に一次覆工コンクリートを吹き付けると共に該一次覆工コンクリート壁にその周方向に沿って多数本のロックボルトを打ち込む。また、一次覆工コンクリート壁の両側下端部に、トンネルの中心軸線方向と同じ方向に沿って暗渠排水処理材が配置され、コンクリート釘を打ち込むことによりこれら暗渠排水処理材が取り付けられる。更に、該一次覆工コンクリート壁面に、不織布が一側面に貼着された止水シートを該不織布が一次覆工コンクリート側にくるようにして配置し、該止水シートを介して二次覆工コンクリートを打設する。これにより、一次覆工コンクリート壁と二次覆工コンクリート壁との間に染み出る地下水は不織布内に滲みて徐々に下方へ流れ、その下端部で前記暗渠排水処理材に取り入れられる。そして、該暗渠排水処理材が導水路として機能し染み出る水を排出するようにしている。該暗渠排水処理材は、その長さが通常４〜１２ｍの長さ寸法の間で適宜選択して決められる。現場では、複数本の暗渠排水処理材を一列に連なるように配置して取り付けることになる。
【０００４】
また、前記一次覆工コンクリート壁に打ち込んだロックボルト部分から湧水が生じる場合は、トンネルの内周壁面の周方向に沿ってかつ該ロックボルトを覆うようにして暗渠排水処理材を取り付ける。この場合も、必要であれば複数の暗渠排水処理材を一列に連なるように配置して取り付ける。その下端部は、前記一次覆工コンクリート壁の両側下端部に取り付けられた暗渠排水処理材に連結される。
【先行技術文献】
【特許文献】
【０００５】
【特許文献１】特開２００２−５４３９６号公報（第３−４頁、図１乃至５）
【発明の概要】
【発明が解決しようとする課題】
【０００６】
しかしながら、前記トンネルの内周壁面であってその両側下端部に配置される暗渠排水処理材やその周方向に沿って配置される暗渠排水処理材は、通常、複数個を一列に連なるように配置して取り付けられるが、互いに突き合わさる暗渠排水処理材の繋ぎ目は多数本のモノフィラメントをランダムなループ状に堆積して形成されるモノフィラメント積層体を単純に切断しただけの荒い形状をしており、しかも、繋ぎ目を隙間のできないようにしっかり連結する策は何ら採られていなかった。このため、ともすると暗渠排水処理材の繋ぎ目に無用な隙間が開くことが有る。ところが、このようにモノフィラメント積層体の繋ぎ目に無用な隙間が開くということは、その隙間に二次覆工コンクリートが介入して邪魔し、暗渠排水処理材により形成された導水路が切断されることを意味し、この部位に導水路内を流れる水が溜まる恐れがある。
【０００７】
仮に、前記暗渠排水処理材の繋ぎ目部分に水が溜まると、その水圧により二次覆工コンクリート壁に亀裂が起きたり、そこから溢水するばかりか二次覆工コンクリートが剥がれてしまう危険性が生ずるという課題が有る。
【０００８】
そこで、本発明は上記課題を解決すべくなされたもので、処理材本体の繋ぎ目に隙間ができないようにして導水路の切断を回避し、該導水路内の水が溢れるといった事故を防ぐようにした土木用の暗渠排水処理材を提供することを目的とするものである。
【課題を解決するための手段】
【０００９】
かかる目的を達成するため本発明に係る土木用の暗渠排水処理材は、帯状に形成され一定の長さを有する処理材本体の長手方向における少なくともいずれか一方の端部とその端部に突き合う隣接する処理材本体の端部に、これら処理材本体を繋ぎ目に隙間が生じないように連接するため互いに係合する係合部と被係合部を設けたことを特徴とする。
【００１０】
この際、前記係合部は伸縮する環状の弾性部材であり、かつ、前記被係合部は該環状の弾性部材が係合する掛止突起である構成が選択される。
【発明の効果】
【００１１】
本発明に係る土木用の暗渠排水処理材は、帯状に形成され一定の長さを有する処理材本体の長手方向における少なくともいずれか一方の端部とその端部に突き合う隣接する処理材本体の端部に、これら処理材本体を繋ぎ目に隙間が生じないように連接するため互いに係合する係合部と被係合部を設けたので、複数の暗渠排水処理材を土中に一列に連なるように埋設する際も、各処理材本体の係合部と被係合部を係合させることにより、これら処理材本体の繋ぎ目に隙間の生じることがなくなる。よって、このようにして暗渠排水処理材を土中に埋設したり、コンクリートを打設して埋設させても、これら暗渠排水処理材の繋ぎ目はしっかりと連結されたままとなって、導水路が切断されることがなく、暗渠排水処理材の繋ぎ目部分で無用に水が溢れるといった事故を防ぐことができるという効果を有する。
【００１２】
前記係合部を伸縮する環状の弾性部材としかつ被係合部を該環状の弾性部材が係合する掛止突起とすれば、弾性部材を掛止突起に係合した状態では伸びた弾性部材の収縮力により互いの処理材本体が引き寄せられて、繋ぎ目がしっかりと当接し緩むようなことがない。よって、その繋ぎ目に隙間の生じる余裕が全くなくなり、前記所期の目的が十分に達成される。また、暗渠排水処理材を配置して取り付ける際に、環状の弾性部材を掛止突起に係合するのみで済み、例えば軍手などの作業手袋をしたままでも連結作業が簡単に行なえる。更に、環状の弾性部材と掛止突起が共に暗渠排水処理材に設けられていることから、暗渠排水処理材とは別にこれら弾性部材や掛止突起といった連結具を用意する必要がなく、取り扱いが容易である。
【図面の簡単な説明】
【００１３】
【図１】本発明に係る暗渠排水処理材の一部の斜視図。
【図２】図１のＸ−Ｘ線断面図。
【図３】モノフィラメント積層体の斜視図。
【図４】同横断面図。
【図５】構築中のトンネルの横断面図。
【図６】暗渠排水処理材の取付状態を示す拡大正面図。
【図７】図６のＹ−Ｙ線断面図。
【図８】図６のＺ−Ｚ線断面図。
【発明を実施するための形態】
【００１４】
以下、本発明に係る土木用の暗渠排水処理材を実施するための最良の形態を図面に従って説明する。暗渠排水処理材は、主として硬質剛性樹脂製の多数のモノフィラメントをランダムなループ形状に堆積して形成されるモノフィラメント積層体からなり、例えば、トンネルの内周壁面の周方向またはその両側下端部であって中心軸線方向と同じ方向に沿って取り付けられる場合、盛土内に埋設される場合、コンクリート製の擁壁裏側に埋設される場合のいずれも使用される。これらの暗渠排水処理材は、それぞれモノフィラメント積層体と一緒に重ねられるシート本体が材質的に異なるだけである。
【００１５】
そこで、本発明は、その一例としてトンネルの構築過程において、その内周壁面に一次覆工コンクリートを吹き付けた後に、その一次覆工コンクリート壁面の両側下端部に取り付ける暗渠排水処理材について説明する。図１は本発明に係る暗渠排水処理材の一部の斜視図、図２は図１のＸ−Ｘ線断面図である。この暗渠排水処理材Ａは、帯状のモノフィラメント積層体２と二つ折された中に該モノフィラメント積層体２を収納するシート本体３とを組み合わせた処理材本体１から構成される。
【００１６】
図３、図４に示すようにモノフィラメント積層体２は、硬質合成樹脂、例えばポリプロピレン樹脂が使用され、多数本のモノフィラメント４ａをランダムなループ状に堆積して縦長平板状に形成される。モノフィラメント積層体２は幅が例えば約２０ｃｍ、厚さが例えば約３ｃｍ、長さが例えば４〜１２ｍの寸法に設定されており、使用する長さはその寸法の間で適宜選択して決められる。そして、その厚み部内に、長手方向に沿って複数の筒状空洞部５が形成される。また、筒状空洞部５の外周面の一側に、同じくモノフィラメント４ｂにより形成される被覆層部６が設けられている。この被覆層部６は筒状空洞部５の長手方向に沿った両側縁を回り込んでモノフィラメント積層体２の厚みのほぼ半分位置まで達している。
【００１７】
太径モノフィラメント４ａにより形成される筒状空洞部５は、図４に示すようにその長手方向に沿ってほとんど障害物がなく、しかも、該太径モノフィラメント４ａ間にできる隙間は比較的広く形成される。一方、被覆層部６は、細径モノフィラメント４ｂにより形成されていることから、太径モノフィラメント４ａの場合に比べ略円形部の半径が小さく、しかも、長手方向に沿って幾重にも重なっているので、細径モノフィラメント４ｂ間にできる隙間は比較的狭い。前記厚み部内は通水性に優れ、容易に水が流入できる構造である。この場合、特に筒状空洞部５を形成する太径モノフィラメント４ａが略円形状をなす、すなわち外部圧力に対し筒状空洞部５の中心軸が直交することになるので、多くの略円形部により強度的に頑強な構成となる。
【００１８】
シート本体３は、ポリエチレン樹脂からなり、編目が一辺４ｍｍ程度の正方形状の網状に形成されている。また、シート本体３は、モノフィラメント積層体２と同じ長さを有すると共に短手方向に沿って二つ折され、その間にモノフィラメント積層体２が介装される。そして、該シート本体３とモノフィラメント積層体２とは、所定個所を超音波接着により接着し一体に形成されている。シート本体３における短手方向であって２枚のシート本体３，３が重ね合わされる端部は、その端部に沿って平行な一対の縫い糸１３，１３により２枚のシート本体３，３が一体に縫着され、その間に筒状部１４が形成される。該筒状部１４内には合成樹脂材、ゴムまたは合成ゴムといった軟弾性材料からなる取付ベルト１５が挿通され、ステイプラー１２止めして固定されている。
【００１９】
本発明にあっては、前記処理材本体１における被覆層部６と同じ側の一側面に、その長手方向の両端部に位置させて隣接する暗渠排水処理材Ａ１における処理材本体１ａと連結するための係合部と被係合部が設けられる。すなわち、ポリエチレン樹脂、ＡＢＳ樹脂、ポリプロピレン樹脂等の合成樹脂材からなる所定大の基板１６が超音波接着によりモノフィラメント積層体２と共にシート本体３の一側面に接着されている。該基板１６の一側縁すなわち処理材本体１の長手方向の端部側に取付孔１７が開設され、該取付孔１７に係合部として環状の弾性部材である輪ゴム１８が挿通して取り付けられている。また、基板１６の外側面に、被係合部としての掛止突起１９が突設されている。掛止突起１９は、短筒状に形成されると共にその周側面における処理材本体１の長手方向の端部とは反対側が、先端に鍔片１９ａを残して切り欠かれており、該掛止突起１９に係合させた輪ゴム１８が鍔片１９ａにより外れ難くしている。
【００２０】
前記隣接する暗渠排水処理材Ａ１の処理材本体１ａにおける一側面の端部にも、前記処理材本体１の各端部の係合部及び被係合部と対応させて、同じく基板１６が超音波接着により接着される。該基板１６に、係合部と被係合部である輪ゴム１８と掛止突起１９が一体に設けられている。これら暗渠排水処理材Ａ，Ａ１を同じ向きでかつ長手方向に沿って端部同士を連接するには、互いの処理材本体１，１ａをつき合わせた状態で、互いの輪ゴム１８，１８を他方の掛止突起１９，１９に互いに係合させる。これによって、両輪ゴム１８，１８の収縮力により両処理材本体１，１ａが共に引き合い、その長手方向の両端面である繋ぎ目２０がしっかりと当接して、その繋ぎ目２０に無用な隙間が生じなくなる。隣接する暗渠排水処理材Ａ１は、本暗渠排水処理材Ａの一端部又は両端部に連接されることになる。長手方向の両端部に係合部と被係合部を設けた本発明に係る暗渠排水処理材Ａは、必要であれば、更に複数個用意しても良い。
【００２１】
本発明に係る土木用の暗渠排水処理材Ａは上記構成からなり、次にその使用方法について説明する。図５は、構築中のトンネルの横断面図である。一般に、トンネルＴの構築にはその内周壁に一次覆工コンクリートを吹き付けると共にその上に二次覆工コンクリートを打設するが、本発明の暗渠排水処理材Ａはその一次覆工コンクリート壁Ｃ１面に取り付けられる。
【００２２】
掘削したトンネルＴの内周壁面に一次覆工コンクリートを吹き付け、該一次覆工コンクリート壁Ｃ１面にその周方向に沿って多数本のロックボルトＲを打設し一次覆工コンクリート壁Ｃ１をしっかりと固定させる。そして、この状態で一次覆工コンクリート壁Ｃ１面であってトンネルＴの内周壁面の両側下端部に、トンネルＴの中心軸線と同じ方向に沿って本発明の暗渠排水処理材Ａ，Ａ１が直線状に複数連接して取り付けられる。
【００２３】
また、前記トンネルＴの内周壁面の両側下端部に取り付けた暗渠排水処理材Ａ，Ａ１にはその長手方向に沿って例えば５０ｍの間隔を離した位置に、トンネルＴの中心軸線に対し直交しかつ中心線軸側に延びる集水支管２１が配置される。これら集水支管２１はトンネルＴの中心軸線と平行に埋設される中央の集水本管２２に接続されている。また、前記トンネルＴの内周壁面である一次覆工コンクリート壁Ｃ１面に、型枠（図示せず。）を構築すると共に止水シート（図示せず。）を介して二次覆工コンクリートを打設し二次覆工コンクリート壁Ｃ２を形成することにより作業を終了する。
【００２４】
これにより、例えば一次覆工コンクリート壁Ｃ１から染み出る地下水は止水シートの内側の不織布を伝って下方へ運ばれ、暗渠排水処理材Ａ，Ａ１内に入る。そして、これら連結される暗渠排水処理材Ａ，Ａ１内を通る地下水は、各所の集水支管２１に流入すると共にその中央の集水本管２２に導かれてトンネルＴの外部へ排出されることになる。
【００２５】
そこで、本発明の暗渠排水処理材Ａの取付方法を詳しく説明する。まず、図６、図７に示すように一次覆工コンクリート壁Ｃ１面に取付ベルト１５が上部に位置し、かつ、被覆層部６が一次覆工コンクリート壁Ｃ１面とは反対側に位置するようにして暗渠排水処理材Ａをほぼ水平に配置する。次に、取付ベルト１５を介して一次覆工コンクリート壁Ｃ１面にコンクリート釘Ｎを打ち込む。この際、図７に示すように剛性のある被覆層部６が一次覆工コンクリート壁Ｃ１面とは反対側に位置することから、仮に、一次覆工コンクリート壁Ｃ１の取付面に凹凸があっても、暗渠排水処理材Ａはその形状に追随して屈曲し易く、暗渠排水処理材Ａの取付が容易になる。しかも、被複層部６側に二次覆工コンクリート壁Ｃ２が覆うように位置するので、逆に、被覆層部６によりモノフィラメント積層体２が二次覆工コンクリート壁Ｃ２の圧力で潰れるのを防いでいる。モノフィラメント積層体２が潰れると、これにより形成される導水路が潰れることになり、地下水の排出機能が損なわれるという危険性がある。
【００２６】
そして、暗渠排水処理材Ａに暗渠排水処理材Ａ１を直線状に接続する場合は、一方の暗渠排水処理材Ａにおける処理材本体１の端部とこれと対向する隣接した暗渠排水処理材Ａ１における処理材本体１ａの端部からそれぞれ輪ゴム１８，１８を引き出し、共に相手の処理材本体１，１ａの掛止突起１９，１９に係合させる。これによって、両輪ゴム１８，１８の収縮力により互いに引き合い、各処理材本体１，１ａの端部間である繋ぎ目２０に隙間が生じなくなる。よって、この状態で両暗渠排水処理材Ａ，Ａ１を二次覆工コンクリート壁Ｃ２により埋設させても、図８に示すようにこれら暗渠排水処理材Ａ，Ａ１の繋ぎ目２０はしっかりと連結されたままとなって、モノフィラメント積層体２による導水路が切断されることがなくなる。本発明に係る暗渠排水処理材Ａに隣接する暗渠排水処理材Ａ１を連接する時点は、本発明に係る暗渠排水処理材ＡをトンネルＴの内周面に取り付けた後であっても、該暗渠排水処理材Ａを取り付ける前であっても良い。
【００２７】
前記係合部と被係合部である輪ゴム１８と掛止突起１９とを処理材本体１の両端部に設けるようにしたが、そのいずれか一端部のみに設けても良い。また、処理材本体１の一端部に係合部である輪ゴム１８を１個設け、他端部に該輪ゴム１８が係合する被係合部である掛止突起１９を１個設けるようにしても良い。
【００２８】
前記トンネルＴの内周壁面であって一次覆工コンクリート壁Ｃ１に打設したロックボルトＲの部分から湧水が出る場合は、図５に示すようにこれら湧水が出るロックボルトＲを覆うようにして一次覆工コンクリート壁Ｃ１面にその周方向に沿って別途用意された暗渠排水処理材Ｄが取り付けられる。この暗渠排水処理材Ｄは、その下端が前記内周壁面の両側下端部に設けられた暗渠排水処理材Ａ，Ａ１にほぼＴ字型に連結される。これにより、前記ロックボルトＲの部分から出る湧水は、周方向に取り付けられた暗渠排水処理材Ｄ内を流下して内周壁面の両側下端部の暗渠排水処理材Ａ，Ａ１内に入る。そして、前記と同様にこれら連結される暗渠排水処理材Ａ，Ａ１内を通る地下水は、各所の集水支管２１を介して中央の集水本管２２に導かれトンネルＴの外部へ排出される。
【００２９】
前記別途用意された暗渠排水処理材Ｄの詳しい説明は省略するが、該暗渠排水処理材Ｄも帯状をなし、ポリエチレン樹脂からなる非通水性の帯状のシート本体の一側面に前記モノフィラメント積層体２が固定される。また、シート本体の長手方向に沿った両側縁部に合成樹脂材、ゴムまたは合成ゴムといった軟弾性材料からなる取付ベルト１５を設けて構成される。この暗渠排水処理材Ｄは、通常１０〜１２ｍの長さを有する。
【００３０】
本発明では、トンネルの内周壁裏側からの湧水、盛土内やコンクリート製の擁壁裏側の浸透水といった不要な地下水を排水処理する暗渠排水用の集排水処理材について説明したが、暗渠用であって主に硬質合成樹脂製の多数本のモノフィラメントをランダムなループ状に堆積して形成されるモノフィラメント積層体２を備えた暗渠排水処理材であれば、前記説明したもの以外のものであっても適用できることは勿論である。
【符号の説明】
【００３１】
１              処理材本体
１ａ            処理材本体
１８            係合部（輪ゴム）
１９            被係合部（掛止突起）
２０            繋ぎ目
Ａ              暗渠排水処理材
Ａ１            暗渠排水処理材
Ｔ              トンネル
【図１】
2011012393.tif 000003
【図２】
2011012393.tif 000004
【図３】
2011012393.tif 000005
【図４】
2011012393.tif 000006
【図５】
2011012393.tif 000007
【図６】
2011012393.tif 000008
【図７】
2011012393.tif 000009
【図８】
2011012393.tif 000010